(57)【要約】【課題】無駄な電力の消費を抑え、装置の操作性を高めることのできる技術を提供すること。【解決手段】複数のデバイスと、複数のデバイスの各々により実行された機能のうち、各々の機能の実行を検知して、各々の機能の実行回数を特定する検知部１０２と、この実行回数に基づいて、複数のデバイスの各々の使用状況を特定し、記憶する取得部１１０と、この使用状況に応じて、各々のデバイスの優先度を決定する優先度決定部１１６と、この優先度に応じて、複数の省電力モードの中から、各々のデバイスに対応する省電力モードを選択する省電力モード選択部１１７と、選択された省電力モードに基づいて、各々のデバイスを制御する制御部１２０と、を備える画像処理装置１０１を提供する。【選択図】図１
2011248734.tif 000002
【特許請求の範囲】
【請求項１】
複数のデバイスと、
前記複数のデバイスの各々による各々の機能の実行を検知して、前記各々の機能の実行回数を特定する検知部と、
前記実行回数に基づいて、前記各々のデバイスの使用状況を特定し、記憶する取得部と、
前記使用状況に応じて、前記各々のデバイスの優先度を決定する優先度決定部と、
複数の省電力モードを保持し、前記優先度に応じて、前記複数の省電力モードの中から、前記各々のデバイスに対応する省電力モードを選択する省電力モード選択部と、
前記選択された省電力モードに基づいて、前記各々のデバイスを制御する制御部と、
を備えることを特徴とする電子装置。
【請求項２】
前記取得部は、
前記各々の機能の実行累積回数を示す動作ログを記憶する動作ログ記憶部と、
前記各々の機能毎に、前記実行回数を前記実行累積回数に加算することで、前記動作ログを更新する動作ログ更新処理部と、
前記各々の機能を実行する際に使用される前記各々のデバイスを示す使用デバイス対応表を記憶する使用デバイス対応表記憶部と、
前記動作ログ及び前記使用デバイス対応表に基づいて、前記各々のデバイスの使用回数を算出して、前記各々のデバイスの使用回数を示すデバイス使用履歴を作成するデバイス使用履歴処理部と、
を備え、
前記使用状況は、前記使用回数であり、
前記優先度決定部は、前記使用状況として、前記デバイス使用履歴で示される前記各々のデバイスの使用回数を用いて、前記各々のデバイスの優先度を決定すること
を特徴とする請求項１に記載の電子装置。
【請求項３】
前記優先度決定部は、前記デバイス使用履歴で示される前記使用回数が多い前記各々のデバイスから順に優先度が高くなるように、前記各々のデバイスの優先度を決定して、前記各々のデバイスの優先度を示す優先度情報を作成すること
を特徴とする請求項２に記載の電子装置。
【請求項４】
前記省電力モード選択部は、
前記各々のデバイスの優先度に対応する省電力モードを示す省電力対応表を記憶する省電力対応表記憶部と、
前記省電力対応表を用いて、前記各々のデバイスの省電力モードを決定して、前記各々のデバイスの省電力モードを示す前記省電力モード情報を作成する省電力モード作成処理部と、を備えること
を特徴とする請求項３に記載の電子装置。
【請求項５】
前記制御部は、
前記省電力モード情報を前記省電力モード選択部より取得し、取得した前記省電力モード情報に基づいて、前記各々のデバイスを制御すること
を特徴とする請求項４に記載の電子装置。
【請求項６】
前記省電力モード情報には、前記各々のデバイスを通常状態からパワーセーブ状態に移行させるためのパワーセーブ条件が含まれており、
前記制御部は、前記各々のデバイスが前記パワーセーブ条件を満たす場合には、前記各々のデバイスを前記パワーセーブ状態に移行させること
を特徴とする請求項５に記載の電子装置。
【請求項７】
前記省電力モード情報には、予め定められた指示の入力があった場合に、前記各々のデバイスを通常状態に移行させるか否かを特定するウォームアップ条件が含まれており、
前記制御部は、前記予め定められた指示の入力があった場合に、前記ウォームアップ条件において前記各々のデバイスを通常状態に移行させることが特定されている前記各々のデバイスを前記通常状態に移行させること
を特徴とする請求項５又は６に記載の電子装置。
【請求項８】
前記省電力モード情報には、前記電子装置の電源が投入された際に、前記各々のデバイスを移行させる起動状態を示す情報が含まれており、
前記制御部は、前記電子装置の電源が投入された際に、前記省電力モード情報で示される起動状態となるように前記各々のデバイスを移行させること
を特徴とする請求項５から７の何れか一項に記載の電子装置。
【請求項９】
不揮発性の記憶部をさらに備え、
前記動作ログ更新処理部は、前記動作ログを前記不揮発性の記憶部に記憶させること
を特徴とする請求項２に記載の電子装置。
【請求項１０】
不揮発性の記憶部をさらに備え、
前記制御部は、前記省電力モード情報を前記不揮発性の記憶部に記憶させること
を特徴とする請求項５に記載の電子装置。
【請求項１１】
ネットワークを介して、管理サーバと接続する電子装置であって、
複数のデバイスと、
前記複数のデバイスの各々による各々の機能の実行を検知して、前記各々の機能の実行回数を特定する検知部と、
前記実行回数に基づいて、前記各々のデバイスの使用状況を特定し、前記各々のデバイスの使用状況を示す情報を生成し、記憶する取得部と、
前記各々のデバイスの使用状況を示す情報を前記管理サーバに送信する送信部と、
前記管理サーバが前記各々の使用状況を示す情報に基づいて決定した前記各々のデバイスに対応する省電力モードを示す情報を、前記管理サーバより受信する受信部と、
前記各々のデバイスに対応する省電力モードを示す情報に基づいて、前記各々のデバイスを制御する制御部と、
を備えることを特徴とする電子装置。
【請求項１２】
前記取得部は、
前記各々の機能の実行累積回数を示す動作ログを記憶する動作ログ記憶部と、
前記各々の機能毎に、前記実行回数を前記実行累積回数に加算することで、前記動作ログを更新する動作ログ更新処理部と、
前記各々の機能を実行する際に使用される前記各々のデバイスを示す使用デバイス対応表を記憶する使用デバイス対応表記憶部と、
前記動作ログ及び前記使用デバイス対応表に基づいて、前記各々のデバイスの使用回数を算出して、前記各々のデバイスの使用回数を示すデバイス使用履歴を作成するデバイス使用履歴処理部と、を備え、
前記各々のデバイスの使用状況を示す情報は、前記デバイス使用履歴であること
を特徴とする請求項１１に記載の電子装置。
【請求項１３】
前記管理サーバは、
前記デバイス使用履歴を、前記電子装置より受信する受信部と、
前記デバイス使用履歴で示される前記各々のデバイスの使用回数が多いものから順に、前記各々のデバイスの優先度が高くなるように、前記各々のデバイスの優先度を決定して、前記各々のデバイスの優先度を示す優先度情報を作成する優先度決定部と、
前記各々のデバイスの優先度に対応する省電力モードを示す省電力対応表を記憶する省電力対応表記憶部と、
前記優先度情報で示される前記各々のデバイスの優先度に対応する前記省電力モードを前記省電力対応表より特定することで、前記各々のデバイスの省電力モードを決定して、前記各々のデバイスの省電力モードを示す省電力モード情報を作成する省電力モード作成処理部と、からなる省電力モード選択部と、
前記省電力モード情報を前記電子装置に送信する送信部と、を備え、
前記各々のデバイスに対応する省電力モードを示す情報は、前記省電力モード情報であること
を特徴とする請求項１１に記載の電子装置。
【請求項１４】
前記制御部は、
前記省電力モード情報を前記管理サーバより取得して、前記省電力モード情報に基づいて、前記各々のデバイスを制御すること
を特徴とする請求項１３に記載の電子装置。
【請求項１５】
前記省電力モード情報には、前記各々のデバイスを通常状態からパワーセーブ状態に移行させるためのパワーセーブ条件が含まれており、
前記制御部は、前記各々のデバイスが前記パワーセーブ条件を満たす場合には、前記各々のデバイスを前記パワーセーブ状態に移行させること
を特徴とする請求項１４に記載の電子装置。
【請求項１６】
前記省電力モード情報には、予め定められた指示の入力があった場合に、前記各々のデバイスを通常状態に移行させるか否かを特定するウォームアップ条件が含まれており、
前記制御部は、前記予め定められた指示の入力があった場合に、前記ウォームアップ条件において前記各々のデバイスを通常状態に移行させることが特定されている前記各々のデバイスを前記通常状態に移行させること
を特徴とする請求項１４又は１５に記載の電子装置。
【請求項１７】
前記省電力モード情報には、前記電子装置の電源が投入された際に、前記各々のデバイスを移行させる起動状態を示す情報が含まれており、
前記制御部は、前記電子装置の電源が投入された際に、前記省電力モード情報で示される起動状態となるように前記各々のデバイスを移行させること
を特徴とする請求項１４から１６の何れか一項に記載の電子装置。
【請求項１８】
不揮発性の記憶部をさらに備え、
前記動作ログ更新処理部は、前記動作ログを前記不揮発性の記憶部に記憶させること
を特徴とする請求項１２に記載の電子装置。
【請求項１９】
不揮発性の記憶部をさらに備え、
前記制御部は、前記省電力モード情報を前記不揮発性の記憶部に記憶させること
を特徴とする請求項１４に記載の電子装置。
【請求項２０】
電子装置と、当該電子装置にネットワークを介して接続する管理サーバと、を有する電子システムであって、
前記電子装置は、
複数のデバイスと、
前記複数のデバイスの各々による各々の機能の実行を検知して、前記各々の機能の実行回数を特定する検知部と、
前記実行回数に基づいて、前記各々のデバイスの使用状況を特定し、前記各々のデバイスの使用状況を示す情報を生成し、記憶する取得部と、
前記各々のデバイスの使用状況を示す情報を、前記管理サーバに送信する送信部と、
前記各々のデバイスに対応する省電力モードを示す情報を、前記管理サーバより受信する受信部と、
前記各々のデバイスに対応する省電力モードを示す情報に基づいて、前記各々のデバイスを制御する制御部と、を備え、
前記管理サーバは、
前記各々のデバイスの使用状況を示す情報を、前記電子装置より受信する受信部と、
前記各々のデバイスの使用状況を示す情報に応じて、前記各々のデバイスの優先度を決定する優先度決定部と、
複数の省電力モードを保持し、前記優先度に応じて、前記複数の省電力モードの中から、前記各々のデバイスに対応する省電力モードを選択し、前記各々のデバイスに対応する省電力モードを示す情報を、前記電子装置に送信する送信部と、を備えること
を特徴とする電子システム。
【発明の詳細な説明】
【技術分野】
【０００１】
本発明は、省電力モードを備えた電子装置及び電子システムに関する。
【背景技術】
【０００２】
装置の状態として、装置全体に電力が供給されたままの状態で着信などを待ち受けている待機状態と、電力の供給を必要な部分のみに制限したうえで着信などを待ち受けているパワーセーブ待機状態とを設ける技術がある（例えば、特許文献１参照）。
【先行技術文献】
【特許文献】
【０００３】
【特許文献１】特開２０００−５６８６９号公報
【発明の概要】
【発明が解決しようとする課題】
【０００４】
従来の技術では、装置の状態がパワーセーブ待機状態になると、予め定められた部分にのみ電力が供給されるため、ユーザは、パワーセーブ待機状態のままで、電力が供給されている部分に対応する機能を使用できるが、電力が供給されていない部分に対応する機能を使用できなかった。
しかしながら、パワーセーブ待機状態で使用できる機能は、ユーザが頻繁に使用する機能とは限らない。パワーセーブ状態において、ユーザが使用しない機能に対応する部分に電力が供給されている場合には、無駄な電力の消費がされている。
また、パワーセーブ状態において、ユーザが頻繁に使用する機能に対応する部分に電力が供給されていない場合には、ユーザがそのような機能を使用する度に、装置をパワーセーブ待機状態から待機状態に復帰させなければならず、装置の操作性が悪く、不便であった。
そこで、本発明は、無駄な電力の消費を抑え、装置の操作性を高めることのできる技術を提供することを目的とする。
【課題を解決するための手段】
【０００５】
本発明に係る電子装置は、
複数のデバイスと、
前記複数のデバイスの各々により実行された機能のうち、各々の機能の実行を検知して、前記各々の機能の実行回数を特定する検知部と、
前記実行回数に基づいて、前記複数のデバイスの各々の使用状況を特定し、記憶する取得部と、
前記使用状況に応じて、前記各々のデバイスの優先度を決定する優先度決定部と、
複数の省電力モードを保持し、前記優先度に応じて、前記複数の省電力モードの中から、前記各々のデバイスに対応する省電力モードを選択する省電力モード選択部と、
前記選択された省電力モードに基づいて、前記各々のデバイスを制御する制御部と、
を備えることを特徴とする。
【発明の効果】
【０００６】
本発明によれば、無駄な電力の消費を抑え、装置の操作性を高めることができる。
【図面の簡単な説明】
【０００７】
【図１】実施の形態１に係る画像処理装置の構成を概略的に示すブロック図である。
【図２】実施の形態１及び２における機能ログの概略図である。
【図３】実施の形態１及び２における動作ログの概略図である。
【図４】実施の形態１及び２における使用デバイス対応表の概略図である。
【図５】実施の形態１及び２におけるデバイス使用履歴の概略図である。
【図６】実施の形態１及び２における優先度情報の概略図である。
【図７】実施の形態１及び２における省電力対応表の概略図である。
【図８】実施の形態１及び２における省電力モード情報の概略図である。
【図９】実施の形態１及び２における操作パネルの概略構成図である。
【図１０】実施の形態１における画像処理装置での電源投入時の処理を示すフローチャートである。
【図１１】実施の形態１及び２における画像処理装置の初期化処理を示すフローチャートである。
【図１２】実施の形態１における画像処理装置の省電力モード更新処理を示すフローチャートである。
【図１３】実施の形態１及び２における画像処理装置の移行処理を示すフローチャートである。
【図１４】実施の形態１及び２における画像処理装置の復帰処理を示すフローチャートである。
【図１５】実施の形態２に係る画像処理システムの概略的な構成図である。
【図１６】実施の形態２に係る画像処理装置の構成を概略的に示すブロック図である。
【図１７】実施の形態２に係る管理サーバの構成を概略的に示すブロック図である。
【図１８】実施の形態２における画像処理装置での電源投入時の処理を示すフローチャートである。
【図１９】実施の形態２における画像処理装置の省電力モード再設定処理を示すフローチャートである。
【発明を実施するための形態】
【０００８】
実施の形態１．
実施の形態１では、電子装置の一例としての画像処理装置を説明する。
図１は、実施の形態１に係る画像処理装置１０１の構成を概略的に示すブロック図である。図示するように、画像処理装置１０１は、検知部１０２と、デバイス部１０５と、取得部１１０と、優先度決定部１１６と、省電力モード選択部１１７と、制御部１２０と、外部記憶部１２７と、操作部１３０と、モデム部１３１と、送受信ＩＦ部１３２と、ネットワークＩＦ部１３３とを備える。
【０００９】
検知部１０２は、画像処理装置１０１において実行される処理や機能（例えば、アプリケーション）を検知して、検知した内容を取得部１１０や制御部１２０等に伝える処理を行う。検知部１０２は、検知処理部１０３と、機能ログ生成部１０４とを備える。
検知処理部１０３は、画像処理装置１０１がユーザからの指示を受けたことを検知する処理を行う。例えば、検知処理部１０３は、ユーザが操作部１３０において、コピーやスキャン等の実行を指示するキーの押下を行った場合には、このようなキーの押下を検知する。また、検知処理部１０３は、画像処理装置１０１が、ネットワーク等を介して、ＰＣ（図示せず）等からの印刷コマンドを受信した場合には、このようなコマンドの受信を検知する。
また、検知処理部１０３は、ユーザが、操作部１３０を用いて、節電指示を行うキーの押下を行った場合には、このようなキーの押下があったこと（節電指示があったこと）を制御部１２０に通知する。
【００１０】
機能ログ生成部１０４は、検知処理部１０３が予め定められた機能を実行する指示を検知した場合には、実行する機能（実行機能）と、実行する回数（実行回数）とを示す機能ログＯＤを生成する。機能ログ生成部１０４は、この機能ログＯＤを取得部１１０に与える。
【００１１】
図２は、機能ログＯＤの概略図である。図示するように、機能ログＯＤは、テーブル形式の情報である。
機能ログＯＤは、実行機能欄ＯＤ１と、実行回数欄ＯＤ２とを備える。実行機能欄ＯＤ１は、指示を受けた機能（実行する機能）を識別する識別情報を格納する。この識別情報としては、機能名を用いる。実行回数欄ＯＤ２は、実行機能欄ＯＤ１で識別される機能を実行する回数を格納する。
なお、機能ログ生成部１０４は、検知処理部１０３が予め定められた機能を実行する指示を検知する毎に機能ログＯＤを生成して、取得部１１０に送るようにしてもよい。また、機能ログ生成部１０４は、検知処理部１０３が予め定められた機能を実行する指示を検知する毎に機能ログＯＤを更新し、予め定められた回数更新されたとき又は予め定められた期間が経過したとき等に、取得部１１０に送るようにしてもよい。
【００１２】
デバイス部１０５は、画像処理装置１０１で使用されるデバイス群である。デバイス部１０５は、複数のデバイス、例えば、プリントデバイス１０６と、スキャンデバイス１０７と、ネットワークデバイス１０８と、Ｆａｘ（ファクシミリ）デバイス１０９とを備える。
プリントデバイス１０６は、紙などの媒体に印刷を行うデバイスである。
スキャンデバイス１０７は、紙などの媒体に描かれた画像を読み取るデバイスである。
ネットワークデバイス１０８は、ネットワークを介して、情報の送受信を行うデバイスである。例えば、ネットワークデバイス１０８は、スキャンデバイス１０７で読み取られた画像の画像データをネットワークに送信し、また、ネットワークからデータを受信するデバイスである。
Ｆａｘデバイス１０９は、電話網（電話回線）を介して、情報の送受信を行うデバイスである。例えば、Ｆａｘデバイス１０９は、スキャンデバイス１０７で読み取られた画像の画像データを電話網に送信し、また、電話網からデータを受信するデバイスである。
【００１３】
取得部１１０は、機能ログに基づいて、機能の実行に使用されるデバイスの使用状況を特定する処理を行う。取得部１１０は、動作ログ記憶部１１１と、動作ログ更新処理部１１２と、使用デバイス対応表記憶部１１３と、デバイス使用履歴記憶部１１４と、デバイス使用履歴処理部１１５とを備える。
動作ログ記憶部１１１は、画像処理装置１０１で実行された（実行の指示を受けた）機能を示す情報と、予め定められた時からこの機能を実行した（実行の指示を受けた）実行累積回数とを含む動作ログＥＤを記憶する。例えば、予め定められた時は、画像処理装置１０１の工場出荷時とするが、ユーザが画像処理装置１０１の使用を開始した時、ユーザが動作ログの取得開始指示の入力を行った時等であってもよい。
【００１４】
図３は、動作ログＥＤの概略図である。図示するように、動作ログＥＤは、デーブル形式の情報である。
動作ログＥＤは、実行機能欄ＥＤ１と、実行累積回数欄ＥＤ２とを備える。
実行機能欄ＥＤ１は、画像処理装置１０１で実行された（実行の指示を受けた）機能を識別するための識別情報を格納する。この識別情報としては、機能名を用いる。
実行累積回数欄ＥＤ２は、実行機能欄ＥＤ１で識別される機能が実行された（実行の指示を受けた）累積回数を格納する。
例えば、画像処理装置１０１が、予め定められた時より、「印刷」を５０回、「コピー」を１００回、「Ｅｍａｉｌ送信」を２００回、「Ｅｍａｉｌ受信」を２０回、「ＮｅｔｗｏｒｋＰＣ送信」を８０回、「Ｆａｘ送信」を３００回、「Ｆａｘ受信」を４０回実行した（実行の指示を受けた）場合には、動作ログＥＤは、図３に示すようになる。
【００１５】
動作ログ更新処理部１１２は、機能ログ生成部１０４より与えられた機能ログＯＤに基づいて、動作ログ記憶部１１１に記憶されている動作ログＥＤを更新する。
動作ログ更新処理部１１２は、動作ログＥＤを更新すると、更新後の動作ログＥＤを保存動作ログＫＥＤとして、外部記憶部１２７に記憶させる。
【００１６】
使用デバイス対応表記憶部１１３は、機能の実行に使用されるデバイスを示す使用デバイス対応表ＴＤを記憶する。
図４は、使用デバイス対応表ＴＤの概略図である。図示するように、使用デバイス対応表ＴＤは、テーブル形式の情報である。
使用デバイス対応表ＴＤは、実行機能欄ＴＤ１と、使用デバイス欄ＴＤ２とを備える。
実行機能欄ＴＤ１は、画像処理装置１０１で実行される機能を識別するための識別情報を格納する。この識別情報としては、機能名を用いる。
使用デバイス欄ＴＤ２は、実行機能欄ＴＤ１で識別される機能の実行に使用されるデバイスを識別するための識別情報を格納する。この識別情報としては、デバイス名を用いる。
例えば、画像処理装置１０１が、「印刷」の実行に「プリントデバイス」、「コピー」実行に「スキャンデバイス」及び「プリントデバイス」、「Ｅｍａｉｌ送信」の実行に「スキャンデバイス」及び「ネットワークデバイス」、「Ｅｍａｉｌ受信」の実行に「ネットワークデバイス」及び「プリントデバイス」、「ＮｅｔｗｏｒｋＰＣ送信」の実行に「スキャンデバイス」及び「ネットワークデバイス」、「Ｆａｘ送信」の実行に「スキャンデバイス」及び「Ｆａｘデバイス」、「Ｆａｘ受信」の実行に「Ｆａｘデバイス」及び「プリントデバイス」を使用する場合には、使用デバイス対応表ＴＤは、図４に示すようになる。
【００１７】
デバイス使用履歴記憶部１１４は、予め定められた時から、画像処理装置１０１で使用された（使用する指示を受けた）デバイスを示す情報と、このデバイスを使用した（使用する指示を受けた）回数とを含むデバイス使用履歴ＵＤを記憶する。
図５は、デバイス使用履歴ＵＤの概略図である。図示するように、デバイス使用履歴ＵＤは、テーブル形式の情報である。
デバイス使用履歴ＵＤは、デバイス名欄ＵＤ１と、デバイス使用回数欄ＵＤ２とを備える。
デバイス名欄ＵＤ１は、画像処理装置１０１で使用されるデバイスを識別するための識別情報を格納する。この識別情報としては、デバイス名を用いる。
デバイス使用回数欄ＵＤ２は、デバイス名欄ＵＤ１で識別されるデバイスを使用した（使用する指示を受けた）回数を格納する。
ここで、動作ログＥＤが図３に示すようになっており、使用デバイス対応表ＴＤが図４に示すようになっている場合には、デバイス使用履歴ＵＤは、図５に示すようになる。
【００１８】
デバイス使用履歴処理部１１５は、動作ログＥＤ及び使用デバイス対応表ＴＤに基づいて、デバイス使用履歴記憶部１１４に記憶されているデバイス使用履歴ＵＤを更新する。
例えば、まず、デバイス使用履歴処理部１１５は、デバイス使用履歴ＵＤのデバイス使用回数欄ＵＤ２に格納されている値を全て初期値「０」に戻す（プロセス１）。
次に、デバイス使用履歴処理部１１５は、動作ログＥＤの実行機能欄ＥＤ１の機能名を１つ抽出する（プロセス２）。
次に、デバイス使用履歴処理部１１５は、抽出した機能名と一致する機能名が、使用デバイス対応表ＴＤの実行機能欄ＴＤ１に格納されているレコードを特定する。デバイス使用履歴処理部１１５は、特定したレコードの使用デバイス欄ＴＤ２よりデバイス名を取得する（プロセス３）。
そして、デバイス使用履歴処理部１１５は、プロセス２において、動作ログＥＤから機能名を抽出したレコードの実行累積回数欄ＥＤ２に格納されている実行累積回数の値を取得する（プロセス４）。
そして、デバイス使用履歴処理部１１５は、デバイス使用履歴ＵＤにおいて、プロセス３で取得したデバイス名と一致するデバイス名が格納されているレコードを特定する。デバイス使用履歴処理部１１５は、特定したレコードのデバイス使用回数欄ＵＤ２に格納されている値に、プロセス４で取得した回数の値を加算する（プロセス５）。
デバイス使用履歴処理部１１５は、プロセス２から５の処理を、動作ログＥＤの実行機能欄ＥＤ１に格納されている全ての機能名につき、一回ずつ行うことで、デバイス使用履歴ＵＤを作成（更新）する。
【００１９】
優先度決定部１１６は、画像処理装置１０１におけるデバイスの使用状況に応じて、デバイスが使用される優先度を決定して、優先度情報ＰＤを作成する。
優先度決定部１１６は、デバイス使用履歴ＵＤに基づいて、優先度情報ＰＤを作成する。優先度決定部１１６は、使用回数が多いデバイスほど優先度が高くなるように優先度情報ＰＤを作成する。
【００２０】
図６は、優先度情報ＰＤの概略図である。図示するように、優先度情報ＰＤは、テーブル形式の情報である。
優先度情報ＰＤは、優先度欄ＰＤ１と、デバイス名欄ＰＤ２とを備える。
優先度欄ＰＤ１は、デバイス名欄ＰＤ２で識別されるデバイスの優先度を示す情報を格納する。優先度欄ＰＤ１には、「１」以上の整数の値が格納される。値が小さいものほど優先度が高いものとする。
デバイス名欄ＰＤ２は、画像処理装置１０１において機能の実行に使用されるデバイスを識別するための識別情報を格納する。この識別情報としては、デバイス名を用いる。
【００２１】
優先度決定部１１６は、優先度情報ＰＤを作成すると、この優先度情報ＰＤを省電力モード選択部１１７に送る。
【００２２】
省電力モード選択部１１７は、優先度情報ＰＤに基づいて、各デバイスの使用状況に応じて、複数の省電力モードから、デバイス毎に最適な省電力モードを選択する。省電力モード選択部１１７は、省電力対応表記憶部１１８と、省電力モード作成処理部１１９とを備える。
省電力対応表記憶部１１８は、各々の優先度に対応する省電力モードを示す省電力対応表ＣＤを記憶する。
【００２３】
図７は、省電力対応表ＣＤの概略図である。図示するように、省電力対応表ＣＤは、テーブル形式の情報である。
省電力対応表ＣＤは、優先度欄ＣＤ１と、パワーセーブ条件欄ＣＤ２と、ウォームアップ条件欄ＣＤ３と、起動状態欄ＣＤ４とを備える。
優先度欄ＣＤ１は、各々のデバイスの優先度を示す情報を格納する。この優先度は、図６に示す優先度情報ＰＤにおける優先度欄ＰＤ１で示される優先度に対応するものである。
パワーセーブ条件欄ＣＤ２は、優先度欄ＣＤ１で示される優先度のデバイスをパワーセーブ状態に移行させる条件（パワーセーブ条件）を格納する。パワーセーブ条件として、パワーセーブ状態に移行させるための閾値となる時間（パワーセーブ閾値時間）が格納される。デバイスが継続して使用されていない時間（不使用時間）がパワーセーブ閾値時間以上となる場合には、このデバイスはパワーセーブ状態にされる。ここでは、優先度の高いデバイスほど、パワーセーブ閾値時間が長くなるものとする。
【００２４】
ウォームアップ条件欄ＣＤ３は、優先度欄ＣＤ１で示される優先度のデバイスを、通常状態に復帰させるウォームアップ条件を格納する。ウォームアップ条件が「高」である場合には、ユーザが操作部１３０を用いて節電指示を行ったときに、このようなウォームアップ条件に対応する優先度のデバイスは、通常状態にされる。ウォームアップ条件が「低」である場合には、ユーザが操作部１３０を用いて節電指示を行ったときに、このようなウォームアップ条件に対応する優先度のデバイスは、通常状態にされない。言い換えれば、ウォームアップ条件が「高」となっている優先度のデバイスが、パワーセーブ状態又はディープスリープ状態となっている場合には、ユーザが操作部１３０を用いて節電指示を行ったときに、このようなデバイスは通常状態にされ、このようなデバイス以外のデバイスは、節電指示を行う前の状態が維持される。
【００２５】
起動状態欄ＣＤ４は、画像処理装置１０１の電源が投入されたときに、優先度欄ＣＤ１で示される優先度のデバイスを移行させる起動状態を示す情報を格納する。
例えば、起動状態が「通常」である場合には、画像処理装置１０１の電源が投入されたときに、優先度欄ＣＤ１で示される優先度のデバイスは、通常状態に移行される。通常状態は、デバイスの初期化を行い、このデバイスを使用可能状態にしておくために電力を供給する起動状態である。通常状態にされているデバイスは、機能を実行する指示を画像処理装置１０１が受けた際に、デバイス自体の初期化や電力が供給されていない部分を使用可能状態にすることなく、すぐに処理を行う。
起動状態が「パワーセーブ」である場合には、画像処理装置１０１の電源が投入されたときに、優先度欄ＣＤ１で示される優先度のデバイスは、パワーセーブ状態に移行される。パワーセーブ状態は、デバイスの初期化を行い、このデバイスの予め定められた部分にのみ電力を供給し、通常状態よりも電力の消費を少なくする起動状態である。パワーセーブ状態にされているデバイスは、機能を実行する指示を画像処理装置１０１が受けた際に、デバイス自体の初期化は行わないが、電力が供給されていなかった部分を使用可能状態にしてから、処理を行う。
起動状態が「ディープスリープ」である場合には、画像処理装置１０１の電源が投入されたときに、優先度欄ＣＤ１で示される優先度のデバイスは、ディープスリープ状態に移行される。ディープスリープ状態は、デバイスの初期化を行わずに、このデバイスへの電力の供給を停止する起動状態である。ディープスリープ状態にされているデバイスは、機能を実行する指示を画像処理装置１０１が受けた際に、デバイス自体の初期化を行い、デバイスを構成する部分に電力を供給して使用可能状態にしてから、処理を行う。
なお、本実施の形態では、省電力モードは、パワーセーブ条件、ウォームアップ条件及び起動状態の組み合わせを示すものとする。そして、各々の優先度に対応する各々の省電力モードは、パワーセーブ条件、ウォームアップ条件及び起動状態の少なくとも１つが各々異なるようにされている。
【００２６】
省電力モード作成処理部１１９は、優先度情報ＰＤ及び省電力対応表ＣＤに基づいて、省電力モード情報ＳＤを作成する。例えば、省電力モード作成処理部１１９は、優先度情報ＰＤにおけるデバイスの優先度に対応する省電力モードを省電力対応表ＣＤより選択して、このデバイスの省電力モードとすることで、省電力モード情報ＳＤを作成する。
【００２７】
図８は、省電力モード情報ＳＤの概略図である。図示するように、省電力モード情報ＳＤは、テーブル形式の情報である。
省電力モード情報ＳＤは、デバイス名欄ＳＤ１と、パワーセーブ条件欄ＳＤ２と、ウォームアップ条件欄ＳＤ３と、起動状態欄ＳＤ４とを備える。パワーセーブ条件欄ＳＤ２、ウォームアップ条件欄ＳＤ３及び起動状態欄ＳＤ４は、省電力対応表ＣＤにおけるパワーセーブ条件欄ＣＤ２、ウォームアップ条件欄ＣＤ３及び起動状態欄ＣＤ４と一致するものである。
デバイス名欄ＳＤ１は、画像処理装置１０１において機能の実行に使用されるデバイスを識別するための識別情報を格納する。この識別情報としては、デバイス名を用いる。
パワーセーブ条件欄ＳＤ２は、デバイス名欄ＳＤ１で識別されるデバイスをパワーセーブ状態に移行させる条件（パワーセーブ条件）を格納する。
ウォームアップ条件欄ＳＤ３は、デバイス名欄ＳＤ１で識別されるデバイスを通常状態に復帰させるウォームアップ条件を格納する。
起動状態欄ＳＤ４は、画像処理装置１０１の電源が投入されたときに、デバイス名欄ＳＤ１で識別されるデバイスを移行させる起動状態を示す情報を格納する。
【００２８】
また、省電力モード作成処理部１１９は、省電力モード情報ＳＤを作成すると、この省電力モード情報ＳＤを制御部１２０に与える。
【００２９】
制御部１２０は、省電力モード情報ＳＤに基づいて、画像処理装置１０１の各デバイスの使用状況に応じて、デバイス毎に最適な省電力モードを適用する処理を行う。制御部１２０は、省電力モード設定処理部１２１と、省電力モード情報記憶部１２２と、初期化処理部１２３と、デバイス監視処理部１２４と、移行処理部１２５と、復帰処理部１２６とを備える。
【００３０】
省電力モード設定処理部１２１は、省電力モード作成処理部１１９より送られてきた省電力モード情報ＳＤを取得する。
省電力モード設定処理部１２１は、省電力モード情報ＳＤを取得すると、この省電力モード情報ＳＤを省電力モード情報記憶部１２２に記憶させる。
なお、省電力モード設定処理部１２１は、省電力モード情報記憶部１２２に既に省電力モード情報ＳＤ（ｏｌｄ）が記憶されている場合には、この省電力モード情報ＳＤ（ｏｌｄ）を削除して、この新たな省電力モード情報ＳＤ（ｎｅｗ）を省電力モード情報記憶部１２２に記憶させることで、省電力モード情報ＳＤの更新を行う。
ここで、符号ＳＤに付された括弧内の文字「ｏｌｄ」、「ｎｅｗ」は、更新前（ｏｌｄ）と更新後（ｎｅｗ）を区別するための文字であって、特に区別する必要がない場合や一般化して説明するような場合には、付されない。他の符号についても同様である。
また、省電力モード設定処理部１２１は、省電力モード情報ＳＤを保存省電力モード情報ＫＳＤとして外部記憶部１２７に送り、この保存省電力モード情報ＫＳＤを外部記憶部１２７に保存させる。
省電力モード情報記憶部１２２は、省電力モード情報ＳＤを記憶する。
【００３１】
初期化処理部１２３は、画像処理装置１０１の電源が投入された際（電源がＯＦＦからＯＮにされた際）に、画像処理装置１０１の初期化処理を行う。
初期化処理部１２３は、画像処理装置１０１の電源が投入された際に、外部記憶部１２７の保存省電力モード情報記憶部１２９より保存省電力モード情報ＫＳＤを取得し、保存動作ログ記憶部１２８より保存動作ログＫＥＤを取得する。初期化処理部１２３は、この保存省電力モード情報ＫＳＤを省電力モード情報ＳＤとして省電力モード情報記憶部１２２に記憶させ、この保存動作ログＫＥＤを動作ログＥＤとして動作ログ記憶部１１１に記憶させる。
また、初期化処理部１２３は、画像処理装置１０１の初期化処理を行う際に、省電力モード情報記憶部１２２に記憶されている省電力モード情報ＳＤに従って、デバイス部１０５の各デバイスを各々の起動状態に移行させる。
【００３２】
デバイス監視処理部１２４は、デバイス部１０５の各々のデバイスについて、各々のデバイスが使用されていない時間（不使用時間）を各々計測する処理を行う。ここで、不使用時間は、各々のデバイスにおいて前回の処理が終了した時点、または、画像処理装置１０１の起動が完了した時点から計測する。
【００３３】
移行処理部１２５は、省電力モード情報記憶部１２２に記憶されている省電力モード情報ＳＤに従って、パワーセーブ条件を満たすデバイスをパワーセーブ状態に移行させる処理を行う。例えば、移行処理部１２５は、デバイス監視処理部１２４で計測されたデバイス毎の不使用時間が、このデバイスのパワーセーブ閾値時間以上となった場合には、このデバイスをパワーセーブ状態に移行させる。移行処理部１２５は、パワーセーブ状態に移行させるデバイスに、パワーセーブ状態移行命令を出す。このような命令を受けたデバイスは、予め定められた部分への電力の供給を停止して、パワーセーブ状態に移行する。
【００３４】
復帰処理部１２６は、ユーザの指示に応じて、パワーセーブ状態又はディープスリープ状態となっているデバイスを通常状態に復帰させる処理を行う。例えば、ユーザが、操作部１３０を用いて、特定の機能を実行する操作を行った場合には、このような特定の機能を実行するデバイスがパワーセーブ状態又はディープスリープ状態となっているときには、このようなデバイスを通常状態に復帰させる。
また、復帰処理部１２６は、検知処理部１０３より、節電指示を行うキーの押下があったことの通知があった場合には、省電力モード情報記憶部１２２に記憶されている省電力モード情報ＳＤに従って、ウォームアップ条件が「高」となっているデバイスを通常状態にする処理を行う。例えば、このようなデバイスがパワーセーブ状態又はディープスリープ状態となっている場合には、通常状態に移行させる処理を行う。このようなデバイスが、既に通常状態となっている場合には、通常状態を維持する。
【００３５】
外部記憶部１２７は、ＥＥＰＲＯＭ、ＦｌａｓｈＲＯＭ、ＨＤＤ等の外部記憶装置である。外部記憶部１２７は、不揮発性の記憶部（記憶装置）により構成することで、画像処理装置１０１の電源がＯＦＦにされた場合でも、記憶されている情報が消えずに維持される。
外部記憶部１２７は、保存動作ログ記憶部１２８と、保存省電力モード情報記憶部１２９とを備える。
保存動作ログ記憶部１２８は、動作ログ更新処理部１１２から送られてきた保存動作ログＫＥＤを記憶する。
保存省電力モード情報記憶部１２９は、省電力モード設定処理部１２１から送られてきた保存省電力モード情報ＫＳＤを記憶する。
【００３６】
操作部１３０は、ユーザからの操作の入力を受け付ける。
例えば、操作部１３０は、図９に示されているような操作パネル１３０ａで構成できる。
図９は、操作パネル１３０ａの概略構成図である。図示するように、操作パネル１３０ａは、コピーキー１３０ｂと、スキャンキー１３０ｃと、ネットワークキー１３０ｄと、Ｆａｘキー１３０ｅと、表示部１３０ｆと、節電キー１３０ｇと、実行キー１３０ｈとを備える。操作パネル１３０ａでのキー押下の行為（アクション）は、検知部１０２に通知される。
コピーキー１３０ｂは、ユーザがコピー機能を選択する場合に、押下されるキーである。
スキャンキー１３０ｃは、ユーザがスキャン機能を選択する場合に、押下されるキーである。
ネットワークキー１３０ｄは、ユーザがＮｅｔｗｏｒｋＰＣ送信機能を選択する場合に、押下されるキーである。
Ｆａｘキー１３０ｅは、ユーザがＦａｘ機能を選択する場合に、押下されるキーである。
表示部１３０ｆは、画像処理装置１０１のメニュー画面や画像処理装置１０１で実行される機能を示す機能画面等を表示する。例えば、表示部１３０ｆは、ＬＣＤ等のディスプレイで構成される。
節電キー１３０ｇは、ユーザが節電指示を行う場合に、押下されるキーである。
実行キー１３０ｈは、ユーザが、コピーキー１３０ｂ、スキャンキー１３０ｃ、ネットワークキー１３０ｄ又はＦａｘキー１３０ｅで選択された機能の実行を指示する場合に、押下されるキーである。実行キー１３０ｈが押下されることにより、選択された機能を示すキー押下の行為が検知部１０２に通知される。
【００３７】
モデム部１３１は、電話網を介して情報を送受信するためのインタフェースである。
送受信ＩＦ部１３２は、画像処理装置１０１の内部からの通信要求をネットワークＩＦ部１３３経由でネットワークに送信し、また、ネットワークからの通信要求をネットワークＩＦ部１３３経由で受信する処理を行う。
ネットワークＩＦ部１３３は、ネットワークとの間で情報を送受信するためのインタフェースである。
ここで、送受信ＩＦ部１３２及びネットワークＩＦ部１３３は、ネットワークを介して情報を送信する送信部及びネットワークを介して情報を受信する受信部として機能する。
【００３８】
図１０は、画像処理装置１０１での電源投入時の処理を示すフローチャートである。
画像処理装置１０１の電源がＯＦＦからＯＮにされたとき、画像処理装置１０１は初期化処理Ｐ１を行う（Ｓ１０）。
次に、画像処理装置１０１は、初期化処理Ｐ１が完了した後、各々のデバイスの省電力モードを更新する省電力モード更新処理Ｐ２を行う（Ｓ１１）。
そして、画像処理装置１０１は、各々のデバイスの省電力モードに応じて、使用されていないデバイスをパワーセーブ状態に移行させる移行処理Ｐ３を行う（Ｓ１２）。
さらに、画像処理装置１０１は、パワーセーブ状態又はディープスリープ状態となっているデバイスを、ユーザの指示に応じて、通常状態に復帰させる復帰処理Ｐ４を行う（Ｓ１３）。
【００３９】
なお、図１０に示すフローチャートは、画像処理装置１０１で電源が投入されてからの処理の流れを概略的に示すものであって、ステップＳ１１〜Ｓ１３の処理については、このような順番に限られるものではない。ステップＳ１１〜Ｓ１３の処理順序は変更されてもよく、これらの処理は並行して行われてもよい。
また、ステップＳ１１〜Ｓ１３の処理については、画像処理装置１０１で電源がＯＮになっている場合には、繰り返し実行される。
【００４０】
図１１は、画像処理装置１０１の初期化処理Ｐ１を示すフローチャートである。
まず、画像処理装置１０１の電源が投入されると、初期化処理部１２３は、画像処理装置１０１の初期化を開始する（Ｓ２０）。画像処理装置１０１の初期化の一部として、初期化処理部１２３は、制御部１２０の初期化を開始する（Ｓ２１）。
【００４１】
次に、初期化処理部１２３は、外部記憶部１２７の保存省電力モード情報記憶部１２９保存省電力モード情報ＫＳＤを取得し、保存動作ログ記憶部１２８より保存動作ログＫＥＤを取得する（Ｓ２２）。
そして、初期化処理部１２３は、保存省電力モード情報ＫＳＤを省電力モード情報ＳＤとして省電力モード情報記憶部１２２に記憶させ、保存動作ログＫＥＤを動作ログＥＤとして動作ログ記憶部１１１に記憶させる（Ｓ２３）。
【００４２】
次に、初期化処理部１２３は、省電力モード情報記憶部１２２に記憶させた省電力モード情報ＳＤより、デバイス部１０５の各デバイスの起動状態を示す情報を取得する（Ｓ２４）。
次に、初期化処理部１２３は、ステップＳ２４で取得した情報で示される起動状態となるように、デバイス部１０５の各デバイスを移行させる（Ｓ２５）。例えば、省電力モード情報ＳＤが、図８に示すようになっている場合には、スキャンデバイス１０７は「通常」状態、Ｆａｘデバイス１０９は「パワーセーブ」状態、ネットワークデバイス１０８は「ディープスリープ」状態、プリントデバイス１０６は「ディープスリープ」状態、とされる。
そして、初期化処理部１２３は、制御部１２０の初期化を完了させる（Ｓ２６）。また、初期化処理部１２３は、画像処理装置１０１の初期化を完了させる（Ｓ２７）。
【００４３】
図１２は、画像処理装置１０１の省電力モード更新処理Ｐ２を示すフローチャートである。
【００４４】
ユーザが、操作部１３０を用いて機能の実行の指示、又はＰＣ（図示せず）等を用いて機能の実行の指示を行うと、検知処理部１０３は、このような指示を検知する（Ｓ３０）。ここでは、例えば、ユーザが、操作パネル１３０ａにおいて、コピーキー１３０ｂを押下してから、実行キー１３０ｈを押下するものとする。検知処理部１０３は、このような場合、コピー機能を実行するキー押下の行為を検知する。
【００４５】
次に、機能ログ生成部１０４は、検知処理部１０３で検知された指示が、予め定められた機能を実行するものである場合には、このような機能の実行回数を示す機能ログＯＤを作成する（Ｓ３１）。例えば、機能ログ生成部１０４は、実行機能欄ＯＤ１に「コピー」、実行回数欄ＯＤ２に「１」を格納した機能ログＯＤを生成する（図２を参照）。
【００４６】
機能ログ生成部１０４は、ステップＳ３１で作成した機能ログＯＤを取得部１１０に与え、取得部１１０の動作ログ更新処理部１１２は、このような機能ログＯＤを取得する（Ｓ３２）。
【００４７】
動作ログ更新処理部１１２は、ステップＳ３２で取得した機能ログＯＤにより、動作ログ記憶部１１１に記憶されている動作ログＥＤを更新する（Ｓ３３）。動作ログ更新処理部１１２は、動作ログＥＤにおいて、機能ログＯＤの実行機能欄ＯＤ１に格納されている機能名と一致する機能名が実行機能欄ＥＤ１に格納されているレコードを特定する。そして、動作ログ更新処理部１１２は、特定したレコードの実行累積回数欄ＥＤ２に格納されている実行累積回数の値に、機能ログＯＤの実行回数欄ＯＤ２に格納されている実行回数の値を加算する。例えば、動作ログ更新処理部１１２は、図２に示す機能ログＯＤを取得した場合には、動作ログＥＤの実行機能欄ＥＤ１に「コピー」が格納されているレコードの実行累積回数欄ＥＤ２に格納されている値に「１」を加算する。
【００４８】
そして、動作ログ更新処理部１１２は、更新した動作ログＥＤを保存動作ログＫＥＤとして、外部記憶部１２７に保存させる（Ｓ３４）。
【００４９】
次に、デバイス使用履歴処理部１１５は、ステップＳ３３で更新された動作ログＥＤ及び使用デバイス対応表記憶部１１３に記憶されている使用デバイス対応表ＴＤに基づいて、デバイス使用履歴記憶部１１４に記憶されているデバイス使用履歴ＵＤを更新する（Ｓ３５）。例えば、使用デバイス対応表ＴＤにおいて、「コピー」を実行するために使用されるデバイスは、「スキャンデバイス」及び「プリントデバイス」である。このため、上述のように、動作ログＥＤにおいて、「コピー」の実行回数が「１」カウントアップされた場合には、デバイス使用履歴ＵＤにおいては、「スキャンデバイス」及び「プリントデバイス」の使用回数が、各々「１」カウントアップされる。
ここで、デバイス使用履歴処理部１１５は、ステップＳ３３において動作ログＥＤが更新される度に、ステップＳ３５の処理を行ってもよい。また、デバイス使用履歴処理部１１５は、動作ログＥＤの更新が予め定められた回数行われた場合に、ステップＳ３５の処理を行ってもよい。また、デバイス使用履歴処理部１１５は、予め定められた期間が経過した場合に、ステップＳ３５の処理を行ってもよい。
【００５０】
次に、デバイス使用履歴処理部１１５は、更新したデバイス使用履歴ＵＤを、優先度決定部１１６に送る（Ｓ３６）。
優先度決定部１１６は、デバイス使用履歴ＵＤを取得する（Ｓ３７）。
【００５１】
次に、優先度決定部１１６は、ステップＳ３７で取得したデバイス使用履歴ＵＤに基づいて、優先度情報ＰＤを作成する（Ｓ３８）。例えば、優先度決定部１１６は、デバイス使用履歴ＵＤを参照して、使用回数の値が多いデバイスから順に優先順位が高くなるようにして、優先度情報ＰＤ（図６を参照）を作成する。
【００５２】
次に、優先度決定部１１６は、ステップＳ３８で作成した優先度情報ＰＤを省電力モード選択部１１７に送り、省電力モード選択部１１７の省電力モード作成処理部１１９は、送られてきた優先度情報ＰＤを取得する（Ｓ３９）。
【００５３】
次に、省電力モード作成処理部１１９は、ステップＳ３９で取得した優先度情報ＰＤ及び省電力対応表記憶部１１８に記憶されている省電力対応表ＣＤに基づいて、省電力モード情報ＳＤを作成する（Ｓ４０）。
例えば、省電力モード作成処理部１１９は、優先度情報ＰＤのレコード毎に優先度とデバイス名との組み合わせを取得する。そして、省電力モード作成処理部１１９は、取得した優先度に対応する省電力モードを省電力対応表ＣＤから選択する。そして、省電力モード作成処理部１１９は、取得したデバイス名と選択した省電力モードとを組み合わせることで、省電力モード情報ＳＤ（図８を参照）を作成する。
【００５４】
次に、省電力モード作成処理部１１９は、ステップＳ４０で作成した省電力モード情報ＳＤを制御部１２０に与え、制御部１２０の省電力モード設定処理部１２１は、与えられた省電力モード情報ＳＤを取得する（Ｓ４１）。
省電力モード設定処理部１２１は、ステップＳ４１で取得した省電力モード情報ＳＤにより、省電力モード情報記憶部１２２に記憶されている省電力モード情報ＳＤを更新する（Ｓ４２）。
例えば、省電力モード設定処理部１２１は、省電力モード情報記憶部１２２に既に記憶されている省電力モード情報ＳＤ（ｏｌｄ）を削除して、ステップＳ４１で取得した省電力モード情報ＳＤ（ｎｅｗ）を、省電力モード情報記憶部１２２に記憶させる。
【００５５】
次に、省電力モード設定処理部１２１は、ステップＳ４１で取得した省電力モード情報ＳＤを保存用省電力モード情報ＫＳＤとして、外部記憶部１２７に保存させる（Ｓ４３）。
【００５６】
図１３は、画像処理装置１０１の移行処理Ｐ３を示すフローチャートである。
まず、移行処理部１２５は、省電力モード情報記憶部１２２に記憶されている省電力モード情報ＳＤを参照することにより、各々のデバイス毎にパワーセーブ条件を取得する（Ｓ５０）。例えば、省電力モード情報ＳＤが、図８に示すようになっている場合、スキャンデバイスのパワーセーブ条件（パワーセーブ閾値時間）は「１５分」であり、Ｆａｘデバイスのパワーセーブ条件は「１０分」であり、ネットワークデバイスのパワーセーブ条件は「５分」であり、プリントデバイスのパワーセーブ条件は「１分」である。
【００５７】
次に、移行処理部１２５は、デバイス監視処理部１２４が、デバイス部１０５の各々のデバイスについて計測している不使用時間を確認する（Ｓ５１）。
次に、移行処理部１２５は、ステップＳ５０で取得したパワーセーブ条件を満たし、かつ、通常状態となっているデバイスがあるか否かを確認する（Ｓ５２）。例えば、移行処理部１２５は、ステップＳ５１で確認したデバイス毎の不使用時間が、ステップＳ５０で取得したデバイス毎のパワーセーブ閾値時間以上となっている場合には、ステップＳ５０で取得したパワーセーブ条件を満たすと判断する。
そして、移行処理部１２５は、パワーセーブ条件を満たす通常状態のデバイスがある場合（ステップＳ５２でＹｅｓ）には、ステップＳ５３の処理に進む。また、移行処理部１２５は、パワーセーブ条件を満たす通常状態のデバイスがない場合（ステップＳ５２でＮｏ）には、ステップＳ５４の処理に進む。
【００５８】
ステップＳ５３では、移行処理部１２５は、ステップＳ５２でＹｅｓと判断されたデバイスをパワーセーブ状態に移行させる処理を行う。
次に、移行処理部１２５は、パワーセーブ状態に移行させるデバイスがあるか否かを確認する（Ｓ５４）。そして、移行処理部１２５は、このようなデバイスがある場合（ステップＳ５４でＹｅｓ）には、ステップＳ５１の処理に戻り、このようなデバイスがない場合（ステップＳ５４でＮｏ）には、処理を終了する。
なお、ステップＳ５４での処理は、言い換えると、通常状態となっているデバイスがあるか否かを確認していることとなる。
【００５９】
画像処理装置１０１は、電源がＯＮになっている場合には、図１３に示すフローチャートを繰り返し実行する。但し、画像処理装置１０１は、全てのデバイスがパワーセーブ状態又はディープスリープ状態となっている場合には、図１３に示すフローチャートを停止してもよい。そして、画像処理装置１０１は、少なくとも１つのデバイスが通常状態となった場合には、図１３に示すフローチャートを再開する。
【００６０】
また、移行処理部１２５は、パワーセーブ状態となっているデバイスの不使用時間が、予め定められた時間（ディープスリープ状態移行時間）以上となった場合には、このようなデバイスをディープスリープ状態に移行させることもできる。このような場合でも、各々のデバイスの優先度に応じて、ディープスリープ状態移行時間が異なるようにすることもできる。例えば、優先度が高いほど、ディープスリープ状態移行時間が長くなるようにすることもできる。
【００６１】
図１４は、画像処理装置１０１の復帰処理Ｐ４を示すフローチャートである。
少なくとも１つのデバイスがパワーセーブ状態となっているときに、ユーザが操作パネル１３０ａの節電キー１３０ｇを押下すると、検知処理部１０３は、節電キー１３０ｇの押下を検知する（Ｓ６０）。
検知処理部１０３は、節電キー１３０ｇが押下されたことを検知すると、節電キー１３０ｇが押下されたことを制御部１２０に通知する（Ｓ６１）。
【００６２】
ステップＳ６１の通知を受けた制御部１２０では、復帰処理部１２６が、省電力モード情報記憶部１２２に記憶されている省電力モード情報ＳＤを参照して、ウォームアップ条件から復帰させるデバイスを選択する（Ｓ６２）。例えば、復帰処理部１２６は、ウォームアップ条件が「高」となっているデバイスを選択する。
ステップＳ６２で選択されたデバイスがパワーセーブ状態又はディープスリープ状態となっている場合には、復帰処理部１２６は、ステップＳ６２で選択されたデバイスを通常状態に復帰させる（Ｓ６３）。
【００６３】
以上のように、実施の形態１によれば、画像処理装置１０１の各デバイスの使用状況、言い換えれば、画像処理装置１０１において使用された機能の履歴から、画像処理装置１０１に最適な省電力モードを自動的に選択することによって、無駄な電力の消費を無くし、画像処理装置１０１の操作性を向上させることができる。
【００６４】
実施の形態２．
実施の形態２では、電子システムの一例としての画像処理システムを説明する。画像処理システムに含まれる電子装置は、画像処理装置である。
図１５は、本発明における実施の形態２に係る画像処理システム２００の概略的な構成図である。画像処理システム２００は、画像処理装置２０１と、画像処理装置２０１の省電力モードを管理する管理サーバ３０１とを備える。画像処理装置２０１と管理サーバ３０１とは、ネットワーク４００に接続されている。
【００６５】
図１６は、実施の形態２に係る画像処理装置２０１の構成を概略的に示すブロック図である。図示するように、画像処理装置２０１は、検知部１０２と、デバイス部１０５と、取得部２１０と、制御部２２０と、外部記憶部１２７と、操作部１３０と、モデム部１３１と、送受信ＩＦ部１３２と、ネットワークＩＦ部１３３とを備える。実施の形態２に係る画像処理装置２０１は、実施の形態１に係る画像処理装置１０１とほぼ同様の構成を有するが、優先度決定部１１６及び省電力モード選択部１１７がなく、取得部２１０及び制御部２２０での処理が異なっている。
【００６６】
取得部２１０は、動作ログ記憶部１１１と、動作ログ更新処理部１１２と、使用デバイス対応表記憶部１１３と、デバイス使用履歴記憶部１１４と、デバイス使用履歴処理部２１５とを備える。実施の形態２における取得部２１０は、実施の形態１の取得部１１０とほぼ同様の構成を有するが、デバイス使用履歴処理部２１５での処理が異なっている。
【００６７】
デバイス使用履歴処理部２１５は、実施の形態１と同様に、動作ログＥＤ及び使用デバイス対応表ＴＤに基づいて、デバイス使用履歴ＵＤを作成し、更新する。
そして、デバイス使用履歴処理部２１５は、実施の形態１とは異なり、更新したデバイス使用履歴ＵＤをデバイス使用履歴記憶部１１４より取得して、このデバイス使用履歴ＵＤを、送受信ＩＦ部１３２及びネットワークＩＦ部１３３を経由して、管理サーバ３０１に送信する処理を行う。
【００６８】
制御部２２０は、省電力モード設定処理部２２１と、省電力モード情報記憶部１２２と、初期化処理部１２３と、デバイス監視処理部１２４と、移行処理部１２５と、復帰処理部１２６とを備える。実施の形態２における制御部２２０は、実施の形態１とほぼ同様の構成を有するが、省電力モード設定処理部２２１での処理が異なっている。
【００６９】
省電力モード設定処理部２２１は、ネットワークＩＦ部１３３及び送受信ＩＦ部１３２を経由して、管理サーバ３０１より送られてきた省電力モード情報ＳＤを取得する。
省電力モード設定処理部２２１は、省電力モード情報ＳＤを取得すると、この省電力モード情報ＳＤを省電力モード情報記憶部１２２に記憶させる。
なお、省電力モード設定処理部２２１は、省電力モード情報記憶部１２２に既に省電力モード情報ＳＤ（ｏｌｄ）が記憶されている場合には、記憶されている省電力モード情報ＳＤ（ｏｌｄ）を削除して、新たな省電力モード情報ＳＤ（ｎｅｗ）を省電力モード情報記憶部１２２に記憶させることで、省電力モード情報ＳＤの更新を行う。
また、省電力モード設定処理部２２１は、省電力モード情報ＳＤを保存省電力モード情報ＫＳＤとして外部記憶部１２７に送る。外部記憶部１２７では、保存省電力モード情報記憶部１２９が、保存省電力モード情報ＫＳＤを記憶する。
【００７０】
図１７は、実施の形態２に係る管理サーバ３０１の構成を概略的に示すブロック図である。管理サーバ３０１は、管理ツール部３０２と、ネットワークＩＦ部３０９とを備える。
【００７１】
管理ツール部３０２は、デバイス使用履歴取得部３０３と、優先度決定部３０４と、省電力モード選択部３０５とを備える。
デバイス使用履歴取得部３０３は、ネットワークＩＦ部３０９及び送受信ＩＦ部３０８を経由して、画像処理装置２０１から送られてきたデバイス使用履歴ＵＤを取得する。
デバイス使用履歴取得部３０３は、デバイス使用履歴ＵＤを優先度決定部３０４に与える。
【００７２】
優先度決定部３０４は、画像処理装置２０１のデバイスの使用状況に応じて、デバイスの優先度を決定する。
優先度決定部３０４は、デバイス使用履歴ＵＤに基づいて、優先度情報ＰＤを作成する。優先度決定部３０４は、使用回数が多いデバイスほど優先度が高くなるようにする。優先度情報ＰＤは、図６に示すようになっており、実施の形態１のものと同様である。
【００７３】
また、優先度決定部３０４は、優先度情報ＰＤを作成すると、この優先度情報ＰＤを省電力モード選択部３０５に送る。
【００７４】
省電力モード選択部３０５は、優先度情報ＰＤに基づいて、画像処理装置２０１の各デバイスの使用状況に応じた最適な省電力モードをデバイス毎に選択する。省電力モード選択部３０５は、省電力対応表記憶部３０６と、省電力モード作成処理部３０７とを備える。
省電力対応表記憶部３０６は、各々の優先度に対応する省電力モードを示す省電力対応表ＣＤを記憶する。省電力対応表ＣＤは、図７に示すようになっており、実施の形態１のものと同様である。
【００７５】
省電力モード作成処理部３０７は、優先度情報ＰＤ及び省電力対応表ＣＤに基づいて、省電力モード情報ＳＤを作成する。省電力モード情報ＳＤは、図８に示すようになっており、実施の形態１のものと同様である。
【００７６】
また、省電力モード作成処理部３０７は、省電力モード情報ＳＤを作成すると、この省電力モード情報ＳＤを、送受信ＩＦ部３０８及びネットワークＩＦ部３０９を経由して、画像処理装置２０１に送信する処理を行う。
【００７７】
送受信ＩＦ部３０８は、管理サーバ３０１の内部からの通信要求をネットワークＩＦ部３０９経由でネットワークに送信し、また、ネットワークからの通信要求をネットワークＩＦ部３０９経由で受信する処理を行う。
ネットワークＩＦ部３０９は、ネットワークとの間で情報を送受信するためのインタフェースである。
ここで、送受信ＩＦ部３０８及びネットワークＩＦ部３０９は、ネットワークを介して情報を送信する送信部及びネットワークを介して情報を受信する受信部として機能する。
【００７８】
図１８は、画像処理装置２０１での電源投入時の処理を示すフローチャートである。図１８において、図１０と同様のステップは、図１０と同じ符号が付されている。
画像処理装置２０１の電源が投入されたとき、画像処理装置２０１は初期化処理Ｐ１を行う（Ｓ１０）。
次に、画像処理装置２０１は、初期化処理Ｐ１が完了した後、各々のデバイスの省電力モードを更新する省電力モード更新処理Ｐ２２を行う（Ｓ７１）。
そして、画像処理装置２０１は、各々のデバイスの省電力モードに応じて、使用されていないデバイスをパワーセーブ状態に移行させる移行処理Ｐ３を行う（Ｓ１２）。
さらに、画像処理装置２０１は、パワーセーブ状態又はディープスリープ状態となっているデバイスを、ユーザの操作に応じて、通常状態に復帰させる復帰処理Ｐ４を行う（Ｓ１３）。
【００７９】
なお、図１８に示すフローチャートは、画像処理装置２０１で電源が投入されてからの処理の流れを概略的に示すものであって、ステップＳ７１、Ｓ１２、Ｓ１３の処理については、このような順番に限られるものではない。ステップＳ７１、Ｓ１２、Ｓ１３の処理順序は変更されてもよく、また、これらの処理は並行して行われてもよい。
また、ステップＳ７１、Ｓ１２、Ｓ１３の処理については、画像処理装置２０１で電源がＯＮになっている場合には、繰り返し実行される。
【００８０】
図１９は、画像処理装置２０１の省電力モード再設定処理Ｐ２２を示すフローチャートである。図１９において、図１２と同様のステップは、図１２と同じ符号が付されている。
【００８１】
ユーザが、操作部１３０を用いて機能の実行の指示、又はＰＣ（図示せず）等を用いて機能の実行の指示を行うと、検知処理部１０３は、このような指示を検知する（Ｓ３０）。
【００８２】
次に、機能ログ生成部１０４は、検知処理部１０３で検知された指示が、予め定められた機能を実行するものである場合には、このような機能の実行回数を示す機能ログＯＤを作成する（Ｓ３１）。
【００８３】
機能ログ生成部１０４は、ステップＳ３１で生成した機能ログＯＤを取得部２１０に与え、取得部２１０の動作ログ更新処理部１１２は、このような機能ログＯＤを取得する（Ｓ３２）。
【００８４】
動作ログ更新処理部１１２は、ステップＳ３２で取得した機能ログＯＤにより、動作ログ記憶部１１１に記憶されている動作ログＥＤを更新する（Ｓ３３）。
【００８５】
動作ログ更新処理部１１２は、更新した動作ログＥＤを保存動作ログＫＥＤとして、外部記憶部１２７に保存させる（Ｓ３４）。
【００８６】
次に、デバイス使用履歴処理部２１５は、ステップＳ３３で更新された動作ログＥＤ及び使用デバイス対応表記憶部１１３に記憶されている使用デバイス対応表ＴＤに基づいて、デバイス使用履歴記憶部１１４に記憶されているデバイス使用履歴ＵＤを更新する（Ｓ３５）。
ここで、デバイス使用履歴処理部２１５は、ステップＳ３３において動作ログＥＤが更新される度に、ステップＳ３５の処理を行ってもよい。また、デバイス使用履歴処理部２１５は、動作ログＥＤの更新が予め定められた回数行われた場合に、ステップＳ３５の処理を行ってもよい。また、デバイス使用履歴処理部２１５は、予め定められた期間が経過した場合に、ステップＳ３５の処理を行ってもよい。
【００８７】
次に、デバイス使用履歴処理部２１５は、更新したデバイス使用履歴ＵＤを、送受信ＩＦ部１３２及びネットワークＩＦ部１３３を経由して、管理サーバ３０１に送信する（Ｓ８６）。
【００８８】
管理サーバ３０１のデバイス使用履歴取得処理部３０３は、ネットワークＩＦ部３０９及び送受信ＩＦ部３０８を経由して、画像処理装置２０１より送信されたデバイス使用履歴ＵＤを取得する（Ｓ８７）。デバイス使用履歴取得処理部３０３は、デバイス使用履歴ＵＤを優先度決定部３０４に与える。
【００８９】
次に、優先度決定部３０４は、ステップＳ８７で取得されたデバイス使用履歴ＵＤに基づいて、優先度情報ＰＤを作成する（Ｓ８８）。例えば、優先度決定部３０４は、取得されたデバイス使用履歴ＵＤから、各々のデバイスの使用回数の値を取得し、使用回数の値が多いものから順に優先順位が高くなるように、各々のデバイスの優先度を決定して、優先度情報ＰＤ（図６を参照）を作成する。
【００９０】
次に、優先度決定部３０４は、ステップＳ８８で作成した優先度情報ＰＤを省電力モード選択部３０５に送り、省電力モード選択部３０５の省電力モード作成処理部３０７は、送られてきた優先度情報ＰＤを取得する（Ｓ８９）。
【００９１】
次に、省電力モード作成処理部３０７は、ステップＳ８９で取得した優先度情報ＰＤ及び省電力対応表記憶部３０６に記憶されている省電力対応表ＣＤに基づいて、省電力モード情報ＳＤを作成する（Ｓ９０）。
例えば、省電力モード作成処理部３０７は、優先度情報ＰＤのレコード毎に優先度とデバイス名との組み合わせを取得する。そして、省電力モード作成処理部３０７は、取得した優先度に対応する省電力モードを省電力対応表ＣＤから選択する。そして、省電力モード作成処理部３０７は、取得したデバイス名と選択した省電力モードとを組み合わせることで、省電力モード情報ＳＤ（図８を参照）を作成する。
【００９２】
次に、省電力モード作成処理部３０７は、ステップＳ９０で作成した省電力モード情報ＳＤを、送受信ＩＦ部３０８及びネットワークＩＦ部３０９を経由して、画像処理装置２０１に送信する（Ｓ９１）。
【００９３】
管理サーバ３０１より送られてきた省電力モード情報ＳＤは、ネットワークＩＦ部１３３及び送受信ＩＦ部１３２を経由して、制御部２２０に送られ、制御部２２０の省電力モード設定処理部２２１が省電力モード情報ＳＤを取得する（Ｓ９２）。
【００９４】
省電力モード設定処理部２２１は、ステップＳ９２で取得した省電力モード情報ＳＤにより、省電力モード情報記憶部１２２に記憶されている省電力モード情報ＳＤを更新する（Ｓ４１）。
【００９５】
次に、省電力モード設定処理部２２１は、ステップＳ９２で取得した省電力モード情報ＳＤを保存用省電力モード情報ＫＳＤとして、外部記憶部１２７に保存させる（Ｓ４２）。
【００９６】
実施の形態２によれば、画像処理装置２０１の各デバイスの使用状況、言い換えれば、画像処理装置２０１で使用された機能の履歴から、管理サーバ３０１が、画像処理装置２０１において最適な省電力モードを自動的に選択する。このため、実施の形態２では、管理サーバ３０１が管理している画像処理装置２０１の全てにおいて、無駄な電力の消費を抑え、画像処理装置２０１の操作性を向上させることができる。
【００９７】
実施の形態１及び２においては、電子装置は、プリントデバイス１０６、スキャンデバイス１０７、ネットワークデバイス１０８及びＦａｘデバイス１０９を備える複合機である画像処理装置１０１、２０１として構成した。しかしながら、電子装置は、このような複合機に限られず、単機能のプリンタ、複写機、ファクシミリなど、省電力モードを有する装置であれば、どのような装置であってもよい。
また、画像処理装置２０１が接続するネットワーク４００は有線に限らず、無線でもよい。また、ネットワーク４００ではなく、画像処理装置２０１にＵＳＢ等を介して管理サーバ３０１が直接接続されていてもよい。
【００９８】
以上に記載した実施の形態１及び２においては、デバイスの使用状況（デバイス使用履歴ＵＤ）を取得するために、動作ログＥＤを用いているが、動作ログＥＤではなくても、デバイスの使用状況が判別できるものであれば、どのような情報を用いてもよい。
【００９９】
以上に記載した実施の形態１及び２においては、図９に示す節電キー１３０ｇが押下された場合には、復帰処理部１２６が、図８に示す省電力モード情報ＳＤのウォームアップ条件が「高」であるデバイスを通常状態にするようにしている。しかしながら、このような処理に限定されず、例えば、図９に示す節電キー１３０ｇが押下された場合には、復帰処理部１２６が、図８に示す省電力モード情報ＳＤのウォームアップ条件が「高」であるデバイスを通常状態にするとともに、移行処理部１２５が、省電力モード情報ＳＤのウォームアップ条件が「低」であるデバイスをパワーセーブ状態にさせてもよい。移行処理部１２５は、省電力モード情報ＳＤのウォームアップ条件が「低」であるデバイスがパワーセーブ状態又はディープスリープ状態となっている場合には、これらの状態を維持する。
【０１００】
以上に記載した実施の形態１及び２においては、デバイス使用履歴処理部１１５、２１５は、動作ログＥＤ及び使用デバイス対応表ＴＤに基づいて、デバイス使用履歴記憶部１１４に記憶されているデバイス使用履歴ＵＤを更新するようにしている。しかしながら、デバイス使用履歴処理部１１５、２１５は、予め定められた時に、動作ログＥＤ及び使用デバイス対応表ＴＤに基づいて、デバイス使用履歴ＵＤを作成するようにしてもよい。この予め定められた時は、動作ログＥＤが更新された時、又は、動作ログＥＤの更新が予め定められた回数行われた時、予め定められた時間が経過した時等とすることができる。
なお、デバイス使用履歴処理部１１５、２１５は、新規にデバイス使用履歴ＵＤ（ｎｅｗ）を作成した場合には、既にデバイス使用履歴記憶部１１４に記憶されているデバイス使用履歴ＵＤ（ｏｌｄ）を削除してから、このデバイス使用履歴ＵＤ（ｎｅｗ）を記憶させる。
【０１０１】
以上に記載した実施の形態２では、デバイス使用履歴処理部２１５が、デバイス使用履歴ＵＤを更新した際に、管理サーバ３０１にデバイス使用履歴ＵＤを送信する処理を行うようにしている。このような処理に限定されず、例えば、管理サーバ３０１からの送信要求に応じて、デバイス使用履歴処理部２１５が、デバイス使用履歴ＵＤを管理サーバ３０１に送信するようにしてもよい。このような場合には、管理サーバ３０１は、予め定められた期間が経過することにより送信要求を行ってもよい。また、デバイス使用履歴処理部２１５から管理サーバ２０１にデバイス使用履歴ＵＤが更新されたことを通知し、この通知に基づいて（予め定められた回数通知された場合等）、管理サーバ３０１が送信要求を行うようにしてもよい。
【符号の説明】
【０１０２】
１０１，２０１：画像処理装置、  １０２：検知部、  １０３：検知処理部、  １０４：機能ログ生成部、  １０５：デバイス部、  １０６：プリントデバイス、  １０７：スキャンデバイス、  １０８：ネットワークデバイス、  １０９：Ｆａｘデバイス、  １１０，２１０：取得部、  １１１：動作ログ記憶部、  １１２：動作ログ更新処理部、  １１３：使用デバイス対応表記憶部、  １１４：デバイス使用履歴記憶部、  １１５，２１５：デバイス使用履歴処理部、  １１６：優先度決定部、  １１７：省電力モード選択部、  １１８：省電力対応表記憶部、  １１９：省電力モード作成処理部、  １２０，２２０：制御部、  １２１，２２１：省電力モード設定処理部、  １２２：省電力モード情報記憶部、  １２３：初期化処理部、  １２４：デバイス監視処理部、  １２５：移行処理部、  １２６：復帰処理部、  １２７：外部記憶部、  １２８：保存動作ログ記憶部、  １２９：保存省電力モード情報記憶部、  １３０：操作部、  １３１：モデム部、  １３２：送受信ＩＦ部、  １３３：ネットワークＩＦ部、  ２００：画像処理システム、  ３０１：管理サーバ、  ３０２：管理ツール部、  ３０３：デバイス使用履歴取得部、  ３０４：優先度決定部、  ３０５：省電力モード選択部、  ３０６：省電力対応表記憶部、  ３０７：省電力モード作成処理部、  ３０８：送受信ＩＦ部、  ３０９：ネットワークＩＦ部。
【図１】
2011248734.tif 000003
【図２】
2011248734.tif 000004
【図３】
2011248734.tif 000005
【図４】
2011248734.tif 000006
【図５】
2011248734.tif 000007
【図６】
2011248734.tif 000008
【図７】
2011248734.tif 000009
【図８】
2011248734.tif 000010
【図９】
2011248734.tif 000011
【図１０】
2011248734.tif 000012
【図１１】
2011248734.tif 000013
【図１２】
2011248734.tif 000014
【図１３】
2011248734.tif 000015
【図１４】
2011248734.tif 000016
【図１５】
2011248734.tif 000017
【図１６】
2011248734.tif 000018
【図１７】
2011248734.tif 000019
【図１８】
2011248734.tif 000020
【図１９】
2011248734.tif 000021